(57)【特許請求の範囲】
【請求項１】
熱処理炉内で基板を熱処理する方法であって、
加熱した上輻射板を熱処理炉外のサセプタに平置した基板の上面側に対向する位置まで移動させるとともに、加熱した下輻射板を熱処理炉外のサセプタに平置した基板の下面側に対向する位置まで移動させる工程と、
上輻射板および下輻射板がそれぞれ基板の上下面側に対向した状態を維持して、上輻射板、下輻射板、サセプタおよび基板を一体に熱処理炉内に搬入する工程と、
上輻射板および下輻射板がそれぞれ基板の上下面側に対向した状態を維持して、上輻射板、下輻射板、サセプタおよび基板を一体に熱処理炉内から搬出する工程と、
を備えており、
移動させる工程で、加熱した上輻射板および加熱した下輻射板を移動させる速度は、搬入する工程において、上輻射板、下輻射板、サセプタおよび基板を一体に熱処理炉内に搬入する速度、および、搬出する工程において、上輻射板、下輻射板、サセプタおよび基板を一体に熱処理炉内から搬出する速度よりも速い、熱処理方法。
【請求項２】
熱処理炉内から搬出する工程の後で、上輻射板および下輻射板を基板の上面側および下面側に対向する位置から、対向しない位置まで移動させる、第２の移動させる工程をさらに備えており、
第２の移動させる工程で、上輻射板および下輻射板を移動させる速度は、搬入する工程において、上輻射板、下輻射板、サセプタおよび基板を一体に熱処理炉内に搬入する速度、および、搬出する工程において、上輻射板、下輻射板、サセプタおよび基板を一体に熱処理炉内から搬出する速度よりも速い、請求項１に記載の熱処理方法。
【請求項３】
基板を熱処理する熱処理装置であって、
熱処理炉と、
基板を平置するサセプタと、
サセプタの上面方向に設置される上輻射板と、
サセプタの下面方向に設置される下輻射板と、
サセプタ、上輻射板および下輻射板を熱処理炉に搬入または搬出する移動装置と、を備えており、
移動装置は、
上輻射板および下輻射板のみを熱処理炉に搬入または搬出可能であり、
上輻射板がサセプタに平置された基板の上面側に対向すると共に下輻射板がサセプタに平置された基板の下面側に対向した状態を維持して、上輻射板および下輻射板、サセプタおよび基板を一体に熱処理炉に搬入または搬出可能であり、
加熱した上輻射板を熱処理炉外のサセプタに平置した基板の上面側に対向する位置まで移動させるとともに、加熱した下輻射板を熱処理炉外のサセプタに平置した基板の下面側に対向する位置まで移動させる工程と、
上輻射板および下輻射板がそれぞれ基板の上下面側に対向した状態を維持して、上輻射板、下輻射板、サセプタおよび基板を一体に熱処理炉内に搬入する工程と、
上輻射板および下輻射板がそれぞれ基板の上下面側に対向した状態を維持して、上輻射板、下輻射板、サセプタおよび基板を一体に熱処理炉内から搬出する工程と、を実行し、
移動させる工程で、加熱した上輻射板および加熱した下輻射板を移動させる速度は、搬入する工程において、上輻射板、下輻射板、サセプタおよび基板を一体に熱処理炉内に搬入する速度、および、搬出する工程において、上輻射板、下輻射板、サセプタおよび基板を一体に熱処理炉内から搬出する速度よりも速い、熱処理装置。
【請求項４】
移動装置は、熱処理炉内から搬出する工程の後で、上輻射板および下輻射板を基板の上面側および下面側に対向する位置から、対向しない位置まで移動させる、第２の移動させる工程をさらに実行し、
第２の移動させる工程で、上輻射板および下輻射板を移動させる速度は、搬入する工程において、上輻射板、下輻射板、サセプタおよび基板を一体に熱処理炉内に搬入する速度、および、搬出する工程において、上輻射板、下輻射板、サセプタおよび基板を一体に熱処理炉内から搬出する速度よりも速い、請求項４に記載の熱処理方法。
【発明の詳細な説明】
【技術分野】
【０００１】
本発明は、半導体ウェハ等の基板の熱処理に用いられる熱処理装置および熱処理方法に関する。
【背景技術】
【０００２】
半導体ウェハ等の薄片で面積の大きい基板の熱処理炉として、特許文献１のように、多数の基板を横向きまたは縦向きに積層して、円筒状の炉内で加熱するバッチ式の熱処理装置や、特許文献２のように、基板を１枚または数枚毎に容器内で処理する枚葉式の熱処理装置が知られている。
【先行技術文献】
【特許文献】
【０００３】
【特許文献１】特開平５−１６００５３号公報
【特許文献２】特開平１０−１７８００５号公報
【発明の概要】
【発明が解決しようとする課題】
【０００４】
熱処理時間を短縮するためには、被加熱体である基板は、予め加熱された高温の炉内に搬入・搬出されることが好ましい。しかしながら、熱処理炉内を予め高温に加熱すると、熱処理炉の内外の温度差が大きくなる。その結果、基板の搬入・搬出時に、高温の炉内に長時間位置する部分と低温の炉外に長時間位置する部分とで基板に温度差が生じ、基板の破損等や特性ばらつきの原因となる。搬入・搬出時の基板内の温度差を小さくするためには、基板の搬入・搬出速度を高速化することが好ましい。しかしながら、基板を高速で搬送すると、基板の加速・減速時に基板に機械的な外力が作用し、基板が破損することがある。特に、熱処理炉から高温の基板を高速で搬出する場合には、基板が損傷を受け易い。このため、基板を損傷することなく予め加熱された高温の炉内に搬入・搬出することは困難であった。そこで、従来は、比較的低い温度に加熱された熱処理炉内に基板を搬入した後、熱処理炉内を処理温度まで加熱し、熱処理完了後に炉内の温度を低くした後で、熱処理炉から基板を搬出するという方法が採られており、熱処理時間が長くなっていた。
【課題を解決するための手段】
【０００５】
本願は、熱処理炉内で基板を熱処理する方法を提供する。この熱処理方法は、加熱した上輻射板を熱処理炉外のサセプタに平置した基板の上面側に対向する位置まで移動させるとともに、加熱した下輻射板を熱処理炉外のサセプタに平置した基板の下面側に対向する位置まで移動させる工程と、上輻射板および下輻射板がそれぞれ基板の上下面側に対向した状態を維持して、上輻射板、下輻射板、サセプタおよび基板を一体に熱処理炉内に搬入する工程と、上輻射板および下輻射板がそれぞれ基板の上下面側に対向した状態を維持して、上輻射板、下輻射板、サセプタおよび基板を一体に熱処理炉内から搬出する工程と、を備えている。この方法では、移動させる工程で、加熱した上輻射板および加熱した下輻射板を移動させる速度は、搬入する工程において、上輻射板、下輻射板、サセプタおよび基板を一体に熱処理炉内に搬入する速度、および、搬出する工程において、上輻射板、下輻射板、サセプタおよび基板を一体に熱処理炉内から搬出する速度よりも速い。この方法では、さらに、熱処理炉内から搬出する工程の後で、上輻射板および下輻射板を基板の上面側および下面側に対抗する位置から、対向しない位置まで移動させる、第２の移動させる工程をさらに備えていてもよく、第２の移動させる工程で、上輻射板および下輻射板を移動させる速度は、搬入する工程において、上輻射板、下輻射板、サセプタおよび基板を一体に熱処理炉内に搬入する速度、および、搬出する工程において、上輻射板、下輻射板、サセプタおよび基板を一体に熱処理炉内から搬出する速度よりも速いことが好ましい。
【０００６】
上記の方法では、高温に加熱された上輻射板および下輻射板を熱処理炉外の基板の上下面側に対向する位置まで移動させて、上輻射板および下輻射板からの輻射熱を利用して、熱処理炉外で基板を加熱する。輻射板は高速移動させることができ、基板の上下面を挟み込むように対向して基板を加熱するため、加熱むらが抑制され、基板内での温度差が小さくなる。さらに、上輻射板および下輻射板がそれぞれ基板の上下面側に対向した状態を維持して、上輻射板、下輻射板、サセプタおよび基板を一体に熱処理炉内に搬入するため、この際の搬入速度を小さくしても、基板内で温度差が生じ難い。搬出時にも同様に、輻射板がそれぞれ基板の上下面側に対向した状態を維持して、輻射板、サセプタおよび基板を一体に熱処理炉内から搬出するため、搬出速度を小さくしても、基板内で温度差が生じ難い。このため、予め高温に加熱した熱処理炉内に基板を搬入し、搬出できるため、基板の熱処理工程の時間を短縮することができる。
【０００７】
本願は、上記の熱処理方法を実施するための熱処理装置を提供する。本願は、基板を熱処理する熱処理装置であって、熱処理炉と、基板を平置するサセプタと、サセプタの上面方向に設置される上輻射板と、サセプタの下面方向に設置される下輻射板と、サセプタ、上輻射板および下輻射板を熱処理炉に搬入または搬出する移動装置と、を備えており、移動装置は、上輻射板および下輻射板のみを熱処理炉に搬入または搬出可能であり、かつ、上輻射板がサセプタに平置された基板の上面側に対向すると共に下輻射板がサセプタに平置された基板の下面側に対向した状態を維持して、上輻射板および下輻射板、サセプタおよび基板を一体に熱処理炉に搬入または搬出可能である、熱処理装置を提供する。この熱処理装置では、移動装置は、加熱した上輻射板を熱処理炉外のサセプタに平置した基板の上面側に対向する位置まで移動させるとともに、加熱した下輻射板を熱処理炉外のサセプタに平置した基板の下面側に対向する位置まで移動させる工程と、上輻射板および下輻射板がそれぞれ基板の上下面側に対向した状態を維持して、上輻射板、下輻射板、サセプタおよび基板を一体に熱処理炉内に搬入する工程と、上輻射板および下輻射板がそれぞれ基板の上下面側に対向した状態を維持して、上輻射板、下輻射板、サセプタおよび基板を一体に熱処理炉内から搬出する工程と、を実行する。移動装置は、さらに、熱処理炉内から搬出する工程の後で、上輻射板および下輻射板を基板の上面側および下面側に対抗する位置から、対向しない位置まで移動させる、第２の移動させる工程をさらに実行してもよく、第２の移動させる工程で、上輻射板および下輻射板を移動させる速度は、搬入する工程において、上輻射板、下輻射板、サセプタおよび基板を一体に熱処理炉内に搬入する速度、および、搬出する工程において、上輻射板、下輻射板、サセプタおよび基板を一体に熱処理炉内から搬出する速度よりも速いことが好ましい。
【図面の簡単な説明】
【０００８】
【図１】実施例に係る熱処理装置を概念的に示す図である。
【図２】実施例に係る熱処理方法を説明する図である。
【図３】実施例に係る熱処理方法を説明する図である。
【図４】実施例に係る熱処理方法を説明する図である。
【図５】実施例に係る熱処理方法を説明する図である。
【図６】実施例に係る熱処理方法を説明する図である。
【図７】実施例に係る熱処理方法を説明する図である。
【図８】変形例に係る熱処理装置のサセプタに平置された基板と輻射板とを示す図である。
【発明を実施するための形態】
【実施例１】
【０００９】
（熱処理装置）
図１に示すように、熱処理装置１０は、熱処理炉１１３と、基板３０を平置するサセプタ１０６と、サセプタ１０６の上面方向に設置された上輻射板１０５ａと、サセプタ１０６の下面方向に設置された下輻射板１０５ｂと、輻射板１０５ａ、１０５ｂを熱処理炉に搬入または搬出する移動装置１２２と、制御装置１２０とを備えている。基板３０は１枚の半導体ウェハであり、略円形の面積の大きい平面が上下面となるようにサセプタ１０６上に載置される。
【００１０】
熱処理炉１１３は、石英チャンバー１１０と、蓋１０３，１０４と、石英チャンバー１１０の上面および下面に設置された上面ヒータ１１１ａ、下面ヒータ１１１ｂと、石英チャンバー１１０、上面ヒータ１１１ａ、下面ヒータ１１１ｂの外側に設置された断熱材１１２を備えている。石英チャンバー１１０は、横方向（ｘ方向）に開口しており、開口部の周囲にはシール材１１４が設けられている。蓋１０３，１０４は一体に形成されており、蓋の差込部１０４を石英チャンバー１１０の入口に差し込むとともに、蓋のシール部１０３が石英チャンバー１１０のシール材１１４と圧接して入口を塞ぐことによって、石英チャンバー１１０は密閉される。ヒータ１１１ａ，１１１ｂは、制御装置１２０によってＯＮ／ＯＦＦ制御される。ヒータ１１１ａ，１１１ｂがＯＮされると、石英チャンバー１１０が加熱される。ヒータ１１１ａ，１１１ｂがＯＦＦされると、石英チャンバー１１０の加熱が停止される。加熱された石英チャンバー１１０は、断熱材１１２によって保温される。
【００１１】
輻射板１０５ａ，１０５ｂは、それぞれ支持部１０２ａ，１０２ｂの先端に固定されており、支持部１０２ａ、１０２ｂの基端は、上下方向に間隔を空けて連結板１０１に固定されている。このため、上輻射板１０５ａと下輻射板１０５ｂは、上下方向に間隔を空けて、互いに対向する位置に設置される。輻射板１０５ａ，１０５ｂは、基板３０よりも剛性が高く、熱容量が大きい。輻射板１０５ａ，１０５ｂの材料としては、ＳｉＣ、石英等を好適に用いることができる。移動装置１２２は、連結板１０１をｘ方向に移動させるアクチュエータ（図示しない）を備えており、このアクチュエータを駆動することで、連結板１０１、輻射板１０５ａ，１０５ｂ、支持部１０２ａ，１０２ｂを一体にｘ方向に移動させる。
【００１２】
サセプタ１０６は、蓋１０３，１０４に固定されている。サセプタ１０６には、数個の突起部１０７が形成されている。突起部１０７の先端で基板３０の下表面を支持することによって、サセプタ１０６上に基板３０が平置される。輻射板１０５ａ，１０５ｂの平面方向の面積は、サセプタ１０６および基板３０の平面方向の面積よりも十分に大きい。
【００１３】
支持部１０２ａ，１０２ｂは、蓋１０３，１０４を貫通している。蓋１０３，１０４と支持部１０２ａ，１０２ｂとは、ロック機構（図示しない）を介して互いに固定または摺動可能に接続されている。移動装置１２２は、ロック機構のロック／非ロックの状態の切り替えを行うアクチュエータ（図示しない）を備えている。ロック機構がロック状態である場合には、蓋１０３，１０４と支持部１０２ａ，１０２ｂとは互いに固定される。このため、移動装置１２２がロック機構をロック状態として連結板１０１をｘ方向に移動させると、蓋１０３，１０４と、サセプタ１０６と、サセプタ１０６上の基板３０と、支持部１０２ａ，１０２ｂと、輻射板１０５ａ，１０５ｂとが一体となってｘ方向に移動する。ロック機構が非ロック状態である場合には、蓋１０３，１０４に対して、支持部１０２ａ，１０２ｂが摺動可能となる。このため、移動装置１２２がロック機構を非ロック状態として連結板１０１をｘ方向に移動させると、蓋１０３，１０４、サセプタ１０６および基板３０のｘ方向の位置を変えることなく、支持部１０２ａ，１０２ｂ及び連結板１０１のみがｘ方向に移動する。制御装置１２２は、ヒータ１１１ａ、１１１ｂと移動装置１２２を制御する。制御装置１２２が移動装置１２２を制御することで、ロック機構のロック／非ロックの状態の切り替えと、移動装置１２２による連結板１０１のｘ方向の移動が行われる。
【００１４】
（熱処理方法）
熱処理装置１０を用いて実施する本実施例に係る熱処理方法について、図２〜図７を用いて説明する。まず、図２に示すように、制御装置１２０が移動装置１２２を制御することで、ロック機構を非ロック状態とすると共に、サセプタ１０６および基板３０は熱処理炉１１３の外側に位置する状態のまま、輻射板１０５ａ，１０５ｂをｘ方向に移動させて、熱処理炉１１３の石英チャンバー１１０内に輻射板１０５ａ，１０５ｂを位置決めする。次いで、制御装置１２０は、上面ヒータ１１１ａおよび下面ヒータ１１１ｂをオンし、石英チャンバー１１０内が、基板３０の熱処理温度（例えば１０００℃程度）となるように熱処理炉１１３内の温度を上げる。これによって、輻射板１０５ａ，１０５ｂは、基板３０の熱処理温度に加熱される。
【００１５】
次に、図３に示すように、制御装置１２０が移動装置１２２を制御して、ロック機構は非ロック状態のまま、輻射板１０５ａ，１０５ｂをｘ方向に移動させる。これによって、熱処理炉内で加熱された輻射板１０５ａ，１０５ｂが熱処理炉１１３から搬出され、熱処理炉１１３外のサセプタ１０６に平置した基板３０の上下面側に対向する位置まで移動する。輻射板１０５ａ，１０５ｂは、剛性が高いため、高速（例えば５００ｍｍ／ｓ程度）で移動させることができ、僅かな時間（例えば１ｓ未満）で基板３０の上下面を挟み込むように対向する位置まで移動することができる。図３に示すように、輻射板１０５ａ，１０５ｂと基板３０とは上下方向に近接しているため、輻射板１０５ａ，１０５ｂからの輻射熱を上下方向から受けて、サセプタ１０６上の基板３０の各部は均一に加熱される。このため、加熱むらが抑制され、基板３０内での温度差が小さくなる。
【００１６】
次に、図４に示すように、制御装置１２０が移動装置１２２を制御して、ロック機構をロック状態に切り替えると共に、輻射板１０５ａ，１０５ｂをｘ方向に移動させる。ロック機構によって輻射板１０５ａ，１０５ｂとサセプタ１０６および基板３０との位置関係は固定されているため、輻射板１０５ａ，１０５ｂがそれぞれ基板３０の上下面側に対向した状態を維持して、輻射板１０５ａ，１０５ｂ、サセプタ１０６および基板３０が一体として熱処理炉１１３内に搬入される。搬入速度は、図３において輻射板１０５ａ，１０５ｂのみを移動させる場合の移動速度よりも十分に遅く、例えば、加速度が４ｍｍ／ｓ２以下となるように調整して搬入する。基板３０の搬入速度が速すぎると、機械的な外力が基板３０に作用して、例えば、結晶欠陥が発生する場合がある。本実施例に係る基板３０の搬入速度は、基板３０に作用する機械的な外力が十分に小さく、機械的な外力によって基板３０が損傷し、特性劣化することがない速度に調整される。基板３０は、輻射板１０５ａ，１０５ｂが上下面側に近接した状態で、高温の熱処理炉１１３内に搬入されるので、熱処理炉１１３内の高温雰囲気下に急激に晒されることもない。図５に示すように、輻射板１０５ａ，１０５ｂと、サセプタ１０６および基板３０は、互いの位置関係を維持したまま、石英チャンバー１１０内に搬入され、石英チャンバー１１０は、蓋１０３，１０４によって密閉される。
【００１７】
図５の状態で、基板３０の熱処理を行う。石英チャンバー１１０内には、熱処理用の処理ガスを流通させてもよい。熱処理用の窒素ガス等の導入路は、例えば、石英チャンバー１１０の入口付近の上部に、図５等の紙面に垂直となる方向に設けることができる。基板３０の上下面に近接して輻射板１０５ａ，１０５ｂが設置された状態で熱処理を行うため、処理ガスを流通させても基板３０に処理ガスが直接吹き付けられることがない。このため、基板３０内の温度分布が生じにくい。
【００１８】
基板３０の熱処理が終了した後、図６に示すように、搬入時と同様に、制御装置１２０が移動装置１２２を制御して、ロック機構はロック状態のままで輻射板１０５ａ，１０５ｂをｘ方向に移動させる。ロック機構によって輻射板１０５ａ，１０５ｂとサセプタ１０６および基板３０との位置関係は固定されているため、輻射板１０５ａ，１０５ｂがそれぞれ基板３０の上下面側に対向した状態を維持して、輻射板１０５ａ，１０５ｂ、サセプタ１０６および基板３０を一体に熱処理炉内から搬出される。基板３０は、輻射板１０５ａ，１０５ｂが上下面側に近接した状態で、高温の熱処理炉１１３内から外部に搬出されるので、基板３０が部分的に熱処理炉１１３外の低温雰囲気下で急冷されることが抑制される。基板３０を搬出した後、制御装置１２０が移動装置１２２を制御して、ロック機構を非ロック状態に切り替え、輻射板１０５ａ，１０５ｂを基板３０の上下面に対向しない位置に移動させる。これによって、熱処理炉１１３外の低温雰囲気下で基板３０が冷却される。輻射板１０５ａ，１０５ｂを基板３０の上下面に対向する位置に移動する場合と同様に、輻射板１０５ａ，１０５ｂを基板３０の上下面に対向しない位置に移動する場合も、輻射板１０５ａ，１０５ｂを、高速（例えば５００ｍｍ／ｓ程度）で移動させることができる。このため、基板３０の各部が略均等に冷却され、基板３０内での温度差が発生することが抑制される。なお、輻射板１０５ａ，１０５ｂを基板３０と対向する位置から移動させる際は、輻射板１０５ａ，１０５ｂを再び熱処理炉１１３内に移動させ、加熱してもよい。
【００１９】
上記のとおり、本実施例に係る熱処理方法では、移動装置１２２が、熱処理炉１１３内で高温（例えば１０００℃程度）に加熱された輻射板１０５ａ，１０５ｂを熱処理炉１１３外の基板３０の上下面に対向する位置まで移動させ、これによって輻射板１０５ａ，１０５ｂからの輻射熱を利用して、熱処理炉１１３外で基板３０を加熱することができる。輻射板１０５ａ，１０５ｂは、基板３０と比較して板厚を厚くして剛性を高くすることができるため、高速移動させることができる。このため、輻射板１０５ａ，１０５ｂを基板３０の上下面を挟み込む位置に短時間で移動させることができ、基板３０の各部を上下面から略均等に加熱するため、加熱むらが抑制され、基板３０内での温度差が小さくなる。さらに、移動装置１２２は、輻射板１０５ａ，１０５ｂがそれぞれ基板３０の上下面側に対向した状態を維持して、輻射板１０５ａ，１０５ｂ、サセプタ１０６および基板３０を一体に熱処理炉１１３内に搬入する。このため、基板搬入時の搬入速度を小さくしても、ヒータ１１１ａ、１１１ｂからの熱量の差による基板３０内での温度差が生じ難い。搬出時にも同様に、輻射板１０５ａ，１０５ｂがそれぞれ基板の上下面側に対向した状態を維持して、複数の輻射板１０５ａ，１０５ｂ、サセプタ１０６および基板３０を一体に熱処理炉１１３内から搬出するから、搬出速度を小さくしても、基板３０内で温度差が生じ難い。
【００２０】
従来の熱処理装置において、予め高温の処理温度に加熱した熱処理炉内に基板を搬入しようとする場合、高温の炉内にある部分と低温の炉外にある部分の温度差を小さくするために、基板の搬入・搬出速度を高速化する必要があった。しかしながら、基板を高速で搬送すると、基板に機械的な外力が作用して基板が破損し易く、特に、熱処理炉から高温の基板を高速で搬出する場合には、基板が損傷を受け易い。このため、従来の熱処理装置では、基板を損傷することなく予め加熱された高温の炉内に搬入・搬出することは困難であり、比較的低い温度に加熱された熱処理炉内に基板を搬入した後、熱処理炉内を処理温度まで加熱し、熱処理完了後に炉内の温度を低くした後で、熱処理炉から基板を搬出するという方法を採らざるを得なかった。このため、熱処理工程に時間がかかり、熱処理温度が１０００℃程度である場合には、２〜２．５ｈ程度の時間が必要であった。これに対して、本実施例に係る熱処理装置および方法によれば、複数の輻射板を用いることによって基板の損傷を抑制しつつ、予め高温の熱処理温度に加熱した熱処理炉内に基板を搬入し、搬出できるため、処理時間が短縮される。さらに、複数の輻射板からの輻射熱によって基板が加熱されるため、基板を均一かつ速やかに加熱することができる。これによって、例えば、熱処理温度が１０００℃程度である場合に、１０ｍｉｎ以下で熱処理工程を行うことができ、従来と比較して、熱処理工程に要する時間を大幅に削減することができる。
【００２１】
（変形例）
なお、上記の実施例においては、一対の上輻射板と下輻射板を利用して１枚の基板を熱処理する場合を例示して説明したが、少数枚（例えば２〜３枚）の基板を熱処理するようにしてもよい。この場合、熱処理装置は、複数枚の基板を平面方向に並べて配置できるサセプタと、複数枚の基板の上下面側に対向させることができる一対または複数対の輻射板を備えるようにしてもよい。また、図８のように、基板３０，３１を上下方向に配置して熱処理を行うように熱処理装置を構成してもよい。この場合、サセプタ１０６に平置した基板３０の上下面側にそれぞれ対向する上輻射板１０５ａ，下輻射板１０５ｂを配置し、サセプタ２０６に平置した基板３１の上下面側にそれぞれ対向する上輻射板２０５ａ，下輻射板２０５ｂを配置することが好ましいが、これに限定されない。例えば、輻射板２０５ａがなく、下輻射板１０５ｂが基板３１の上面側に対向する上輻射板を兼ねていてもよい。
【００２２】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００２３】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２４】
１０    熱処理装置
３０，３１    基板
１０１    搬送機構
１０２ａ，１０２ｂ    支持部
１０３，１０４    蓋
１０５ａ，２０５ａ    上輻射板
１０５ｂ，２０５ｂ    下輻射板
１０６，２０６       サセプタ
１０７    突起部
１１０    石英チャンバー
１１１ａ    上面ヒータ
１１１ｂ    下面ヒータ
１１２    断熱材
１１３    熱処理炉
１１４    シール材
１２０    制御装置
１２２    移動装置
【図１】
0005573533.tif 000002
【図２】
0005573533.tif 000003
【図３】
0005573533.tif 000004
【図４】
0005573533.tif 000005
【図５】
0005573533.tif 000006
【図６】
0005573533.tif 000007
【図７】
0005573533.tif 000008
【図８】
0005573533.tif 000009